(57)【特許請求の範囲】
【請求項１】
発光素子が実装された発光素子基板と、
前記発光素子が発する光の少なくとも一部を反射する反射部材と、
前記反射部材の少なくとも一部及び前記発光素子基板が表面側に取り付けられる支持部材と、
前記支持部材の表面側を覆うように取り付けられる透光性カバーと、
前記支持部材の表面側を覆った状態の前記透光性カバーが装着される器具本体と、
を備え、
前記発光素子基板、前記反射部材、前記支持部材、前記透光性カバー及び前記器具本体は、いずれも長手方向を揃えた長尺状であり、
前記支持部材は、
前記発光素子基板が取り付けられる長尺状の主面部と、
前記主面部の短手方向の端部から前記発光素子が発する光の主出射方向に沿って延伸する第１側面部と、
前記第１側面部の端部のうち前記主面部と接する端部と反対側の端部から前記光の主出射方向と交差する方向で前記主面部の短手方向の外側に延伸する底面部と、
を有し、
前記反射部材は、短手方向の中央部が前記発光素子基板と前記主面部との間に挟持され、短手方向の周縁部が前記底面部に固定される照明装置。
【請求項２】
前記発光素子基板を前記支持部材の表面側に固定する基板固定部材を備え、
前記基板固定部材は、前記発光素子基板の短手方向の外側から前記発光素子基板の短手方向の端部に引っ掛かる一対の爪部を有し、且つ、前記発光素子基板の長手方向に沿って複数設けられており、
前記一対の爪部は、前記発光素子基板の短手方向の両側に配置され、互いに対向し、前記発光素子が発する光の主出射方向に沿って延伸し、且つ、延伸した部分が、前記発光素子基板の短手方向の内側に向かって屈曲している請求項１に記載の照明装置。
【請求項３】
前記反射部材の短手方向の周縁部は、前記底面部の少なくとも一部に接着されている請求項１に記載の照明装置。
【請求項４】
発光素子が実装された発光素子基板と、
前記発光素子基板が表面側に取り付けられる支持部材と、
前記発光素子基板を前記支持部材の表面側に固定する基板固定部材と、
前記支持部材の表面側を覆うように取り付けられる透光性カバーと、
前記支持部材の表面側を覆った状態の前記透光性カバーが装着される器具本体と、
を備え、
前記発光基板、前記支持部材、前記透光性カバー及び前記器具本体は、いずれも長手方向を揃えた長尺状であり、
複数の前記発光素子基板は、長手方向に連結して配置され、
前記基板固定部材は、前記発光素子基板同士が連結する連結部分において前記発光素子基板の短手方向の外側から長手方向の端部に引っ掛かる一対の爪部を有し、
前記支持部材は、
前記発光素子基板が取り付けられる長尺状の主面部と、
前記主面部の短手方向の端部から前記発光素子が発する光の主出射方向に沿って延伸する第１側面部と、
前記第１側面部の端部のうち前記主面部と接する端部と反対側の端部から前記光の主出射方向と交差する方向で前記主面部の短手方向の外側に延伸する底面部と、
を有する照明装置。
【請求項５】
前記基板固定部材は、隣接する前記発光素子基板の両方に跨って配置され、
前記一対の爪部のそれぞれは、隣接する前記発光素子基板の両方に引っ掛かる請求項４に記載の照明装置。
【発明の詳細な説明】
【技術分野】
【０００１】
本発明は、天井又は壁等に設置される照明装置に関する。
【背景技術】
【０００２】
従来、蛍光灯等の発光体が照明器具の器具本体に取り付けられ、器具本体が天井又は壁等（造営材）の被取付面に取り付けられる照明装置が広く用いられている。また、近年、発光素子として、従来用いられてきた白熱電球や蛍光灯に比べて消費電力が少なく、耐久性にも優れた発光ダイオード（ＬＥＤ：Ｌｉｇｈｔ  Ｅｍｉｔｔｉｎｇ  Ｄｉｏｄｅ）が多く用いられている。
【０００３】
このため、ＬＥＤ等の発光素子が実装された発光素子基板を使用した、天井又は壁取付用の照明装置が多数提案されている。例えば、以下の特許文献１には、発光素子基板を備える発光ユニットを天井等に取り付けられた器具本体に取り付けて、発光ユニットに対して電力を供給することにより、発光ユニットを発光させる照明装置が開示されている。また、例えば以下の特許文献２には、板金製の器具本体に板金製の反射笠を止め金具にて取り付ける照明装置が開示されている。
【先行技術文献】
【特許文献】
【０００４】
【特許文献１】特開２０１３−１７９０１４号公報
【特許文献２】特許第４０４５７８８号
【発明の概要】
【発明が解決しようとする課題】
【０００５】
近年では、一体型ＬＥＤベースライトの分野において、複数の発光ユニットを同一方向に直列に配置して、あたかも一本の長尺状の発光ユニットのように見せる照明装置が提案されている。しかしながら、このような照明装置においては、発光素子基板を発光ユニット内に設けられた支持部材に固定する必要がある。発光素子基板を支持部材に固定しない場合、発光素子基板が、支持部材から浮いてしまう。そのため、通常、このような照明装置においては、基板押さえ部材を用いている。基板押さえ部材で発光素子基板を押さえ、基板押さえ部材をネジ等の締結手段で支持部材に固定している。これにより、発光素子基板を支持部材に固定するには、部品点数や製造時の工数が増加してしまい、コストアップに繋がる。
【０００６】
本発明は、このような事情に鑑みてなされたものであって、必要最低限の固定部材で発光素子基板が支持部材から浮き上がるのを防止する照明装置の提供を目的とする。
【課題を解決するための手段】
【０００７】
上記課題を解決するために、本発明の一態様に係る照明装置は、発光素子が実装された発光素子基板と、発光素子が発する光の少なくとも一部を反射する反射部材と、反射部材の少なくとも一部及び発光素子基板が表面側に取り付けられる支持部材と、発光素子基板を支持部材の表面側に固定する基板固定部材と、支持部材の表面側を覆うように取り付けられる透光性カバーと、支持部材の表面側を覆った状態の透光性カバーが装着される器具本体と、を備える。発光素子基板、反射部材、支持部材、透光性カバー及び器具本体は、いずれも長手方向を揃えた長尺状である。基板固定部材は、発光素子基板の短手方向の外側から発光素子基板の短手方向の端部に引っ掛かる一対の爪部を有し、且つ、発光素子基板の長手方向に沿って複数設けられている。
【発明の効果】
【０００８】
本発明の一態様によれば、発光素子基板が取り付けられた支持部材の表面側において、一対の爪部により発光素子基板を固定するため、低コストで、発光素子基板が支持部材から浮いてしまうことを防止することが可能となる。
【図面の簡単な説明】
【０００９】
【図１】本発明の第１実施形態に係る照明装置の外観を示す斜視図である。
【図２】本発明の第１実施形態に係る照明装置の構成を示す分解斜視図である。
【図３】本発明の第１実施形態に係る照明装置の構成を示す横断面図である。
【図４】支持部材と、基板固定部材及び電源部との実装関係を示す分解斜視図である。
【図５】支持部材における基板固定部材及び電源部の実装状態を示す斜視図である。
【図６】基板固定部材ａ〜ｆの形状を示す図である。
【図７】中央用基板固定部材の形状を示す図である。
【図８】支持部材と、反射部材との実装関係を示す分解斜視図である。
【図９】支持部材における反射部材の実装状態を示す斜視図である。
【図１０】支持部材と、発光素子基板との実装関係を示す分解斜視図である。
【図１１】支持部材における発光素子基板の実装状態を示す斜視図である。
【図１２】隣接する発光素子基板同士の連結部分（つなぎ目部分）における配線について示す拡大図である。
【図１３】隣接する発光素子基板同士の連結部分における配線の被覆について示す拡大図である。
【図１４】本発明の第２実施形態に係る照明装置の外観を説明するための斜視図である。
【図１５】本発明の第２実施形態に係る照明装置の構成を説明するための分解斜視図である。
【図１６】本発明の第２実施形態に係る照明装置の構成を説明するための横断面図である。
【図１７】本発明の第３実施形態に係る照明装置の外観を説明するための斜視図である。
【図１８】本発明の第３実施形態に係る照明装置の構成を説明するための分解斜視図である。
【図１９】本発明の第３実施形態に係る照明装置の構成を説明するための横断面図である。
【図２０】本発明の第４実施形態に係る照明装置の外観を説明するための斜視図である。
【図２１】本発明の第４実施形態に係る照明装置の構成を説明するための分解斜視図である。
【図２２】本発明の第４実施形態に係る照明装置の構成を説明するための横断面図である。
【発明を実施するための形態】
【００１０】
以下の詳細な説明では、本発明の実施形態について、完全な理解を提供するように、特定の細部について記載する。しかしながら、かかる特定の細部が無くとも、一つ以上の実施形態が実施可能であることは明確である。
また、説明及び図面を簡潔なものとするために、本発明の実施形態の説明上必要な構造及び装置のみ記載し、その他の周知の構造及び装置については記載及び図示を省略する。記載がない構造及び装置については、基本的に既存の照明装置と同様であるものとする。
また、以下の説明において、照明装置が天井に取り付けられた場合に天井と対向する方
向を照明装置の上方向とし、床方向を照明装置の下方向として説明する場合がある。また、図中、照明装置が天井に取り付けられた場合に鉛直上向き方向（天井方向）をＺ方向、床方向を−Ｚ方向とする場合がある。このとき、長尺形状の照明装置の長手方向の一方向をＸ方向、他方向を−Ｘ方向とし、長尺形状の照明装置の幅方向（短手方向）の一方向をＹ方向、他方向を−Ｙ方向とする場合がある。
更に、照明装置は、基本的に幅方向の中央部を境界として対称であるため、照明装置の幅方向の両側に共通の構成を説明する場合、照明装置の幅方向のいずれか一方の側にのみ符号を付し、他方の側の符号は省略する。したがって、照明装置の幅方向の片側の符号が省略されている場合、照明装置の幅方向の中央部を境界とする両側で符号は共通である。
【００１１】
＜第１実施形態＞
以下、本発明の第１実施形態に係る照明装置について図面を参照しつつ説明する。
（照明装置の全体構成）
図１は、本発明の第１実施形態に係る照明装置１の外観を説明するための斜視図である。
図２は、本発明の第１実施形態に係る照明装置１の構成を説明するための分解斜視図である。
図３は、本発明の第１実施形態に係る照明装置１の構成を説明するための横断面図である。
照明装置１は、例えば天井又は壁等の造営材Ｂの被取付面に直接取り付けられる器具本体１０と、器具本体１０に取り付けられる発光ユニット２０と、を備える。
【００１２】
器具本体１０及び発光ユニット２０は、いずれも長手方向を揃えた長尺状である。器具本体１０は、照明装置１の基礎となる部材であり、下方向に開口した凹形状となっている。発光ユニット２０は、光を照射する機能を有し、短手方向の両側面の一部が凹形状の器具本体１０の内壁面の一部と当接するように、器具本体１０に取り付けられる。
【００１３】
第１実施形態では、照明装置１として、器具本体１０が吊りボルトＨＢにより造営材Ｂの被取付面に直接取り付けられるトラフ型の照明装置について説明する。ここでは、このような照明装置の形状を便宜上、「直付トラフ型」と称する。
【００１４】
（器具本体）
以下、器具本体１０の構成例について説明する。
第１実施形態では、器具本体１０は、取付部材１１１と、第１側板１２１ａ及び第２側板１２１ｂと、を備える。
取付部材１１１は、直付トラフ型の照明装置１におけるシャーシであり、合板等の材料を曲げ加工することにより、発光ユニット２０の透光性カバー２７が入り込むように、下方向に向けて開口が形成される。また、取付部材１１１の短手方向の幅は、この開口端縁に向かって広がっている。
【００１５】
具体的には、取付部材１１１は、長尺状に形成された底板部１１１ａと、底板部１１１ａの長辺に沿って設けられた第１側縁部１１１ｂ及び第２側縁部１１１ｃを含む。
底板部１１１ａは、造営材Ｂの被取付面と対向する板状の部材であり、照明装置１を被取付面に取り付けるための吊りボルト用孔部や、電力供給ケーブルを照明装置１内に引き込むための電力供給ケーブル用孔部等を備えている。
第１側縁部１１１ｂ及び第２側縁部１１１ｃは、底板部１１１ａに対し、発光ユニット２０の光照射方向（光の主出射方向、つまり下方向）に向かって折り曲げられ、下方向に傾斜して広がる形状を有している。実際には、第１側縁部１１１ｂ及び第２側縁部１１１ｃの少なくとも一方が発光ユニット２０の光照射方向に向かって（すなわち図３中の−Ｚ方向に向かって）広がる形状を有していれば良い。
これにより、底板部１１１ａ、第１側縁部１１１ｂ及び第２側縁部１１１ｃは、発光ユニット２０の光照射方向に向かって開口している凹部を形成する。
【００１６】
第１側板１２１ａ及び第２側板１２１ｂは、直付トラフ型の照明装置において取付部材１１１の長手方向の両端の開口部分に取り付けられる閉塞部材であり、例えば樹脂材料で形成される。第１実施形態では、第１側板１２１ａは、取付部材１１１の長手方向の一端を覆うように取り付けられる。第２側板１２１ｂは、取付部材１１１の長手方向の他端を覆うように取り付けられる。
【００１７】
（発光ユニット）
以下、発光ユニット２０の構成例について説明する。
発光ユニット２０は、発光素子２１と、発光素子基板２２と、電源部２３と、支持部材２４と、基板固定部材２５と、反射部材２６と、透光性カバー２７を備えている。
発光素子２１は、例えばＬＥＤチップである。発光素子基板２２には、複数の発光素子２１が実装される。電源部２３は、発光素子２１が実装される発光素子基板２２と電気的に接続する。支持部材２４は、裏面側において電源部２３を、表面側において発光素子基板２２及び反射部材２６を支持する。基板固定部材２５は、支持部材２４の表面側に発光素子基板２２を固定する。支持部材２４の表面側は、透光性カバー２７により全面的に覆われる。透光性カバー２７は、支持部材２４の表面側を覆った状態で、支持部材２４ごと器具本体１０に取り付けられる。また、図示は省略しているが、発光素子基板２２と基板固定部材２５の間で、発光素子基板２２の上には発光素子２１が露出するように孔が開けられ、且つ、外形寸法が発光素子基板２２と略同一な反射板が設けられている。この反射板と基板固定部材２５との間には、ほとんど隙間が空いていない。
ここで、発光素子基板２２、支持部材２４、反射部材２６、透光性カバー２７、及び不図示の反射板は、いずれも器具本体１０と長手方向を揃えた長尺状である。
【００１８】
（電源部）
図３に示すように、電源部２３は、照明装置１の内部空間（器具本体１０の凹部の内側）において、照明装置１の幅方向の中央に配置される。電源部２３は、例えばネジ等の締結部材によって、支持部材２４の裏面側に固定される。
電源部２３は、配線２３ｄ（後述する図１２参照）を介して、発光素子基板２２と電気的に接続する。配線２３ｄは、支持部材２４の裏面側に固定された電源部２３から、支持部材２４に設けられた貫通孔を通って、支持部材２４の表面側に固定された発光素子基板２２に接続される。電源部２３は、例えば、器具本体１０が取り付けられる造営材Ｂの被取付面から照明装置１の内部空間に導出される電力供給ケーブル（図示せず）と接続され、電力供給ケーブルから供給される交流電力を直流に変換し、配線２３ｄを介してその出力（即ち、直流電力）を発光素子２１に供給する。電力供給ケーブルは、電源部２３の上面と器具本体１０との間に確保された電力供給ケーブル収容空間に配線される。
【００１９】
（支持部材）
図３に示すように、支持部材２４は、発光素子２１が実装される発光素子基板２２を支持する。支持部材２４は、発光素子２１の熱を放熱するヒートシンクの機能も有している。
支持部材２４は、長尺状の主面部２４ａと、第１側面部２４ｂと、底面部２４ｃと、第２側面部２４ｄと、を有する。
【００２０】
主面部２４ａは、下方を向く表面側に発光素子基板２２が取り付けられ、上方を向く裏面側に電源部２３が取り付けられる。主面部２４ａは、発光素子基板２２の幅よりも広く形成されている。
第１側面部２４ｂは、主面部２４ａの幅方向の端部から光照射方向（すなわち図３中の−Ｚ方向）に折り曲げられ、光照射方向に沿って延伸する。
【００２１】
底面部２４ｃは、第１側面部２４ｂの端部のうち主面部２４ａと接する端部と反対側の端部から光照射方向と交差する方向（すなわち図３中のＹ方向又は−Ｙ方向）に折り曲げられ、主面部２４ａの幅方向の外側に延伸する。
第２側面部２４ｄは、底面部２４ｃの端部のうち第１側面部２４ｂと接する端部と反対側の端部から底面部２４ｃと交差する方向（すなわち図３中のＺ方向）に折り曲げられ、光照射方向の反対側に延伸する。第２側面部２４ｄは、後述する透光性カバー２７の幅方向の内壁面と当接する。
【００２２】
第１側面部２４ｂ、底面部２４ｃ及び第２側面部２４ｄは、光照射方向に突出する凸部を、主面部２４ａの両端に形成する。凸部の頂部は、支持部材２４の幅方向の外側にいくほど大きく突出するように傾斜して形成されることが好ましい。また、凸部の頂部は、発光素子２１の１／２ビーム角領域内に入り込まない形状であることが好ましい。発光素子基板２２を支持する主面部２４ａは、この凸部に対して相対的に器具本体１０方向（すなわち図３中のＺ方向）に凹むように形成されていることになる。
また、支持部材２４は、主面部２４ａに実装された基板固定部材２５により発光素子基板２２を固定する。
【００２３】
（基板固定部材）
図４は、支持部材２４と、電源部２３及び基板固定部材２５との実装関係を説明するための分解斜視図である。
図５は、支持部材２４における電源部２３及び基板固定部材２５の実装状態を説明するための斜視図である。
図４、図５に示すように、支持部材２４には、電源部２３と、７個の基板固定部材２５（基板固定部材２５１ａ〜２５１ｆ、中央用基板固定部材２５２）が実装される。但し、実際には、基板固定部材２５の個数は７個に限定されない。基板固定部材２５の個数は任意であり、通常は照明装置１の設計や寸法に応じて決定される。
【００２４】
基板固定部材２５（基板固定部材２５１ａ〜２５１ｆ、中央用基板固定部材２５２）は、支持部材２４の主面部２４ａに設けられ、発光素子基板２２を支持部材２４に固定する。
図３に示すように、基板固定部材２５は、発光素子基板２２の幅方向の両側部を支持し、且つ発光素子基板２２の発光素子実装面上に突出する形状を有している。このため、発光素子基板２２は、基板固定部材２５により、支持部材２４に対して浮きがないように固定される。
【００２５】
更に、図４、図５に示すように、支持部材２４の主面部２４ａの裏面側において、基板固定部材２５１ｃの上から電源部２３が取り付けられる。すなわち、基板固定部材２５１ｃは、電源部２３により覆われている。但し、実際には、この例に限定されない。
【００２６】
図６は、基板固定部材２５１ａ〜２５１ｆの形状を説明するための図である。
図７は、中央用基板固定部材２５２の形状を説明するための図である。
図６、図７に示すように、基板固定部材２５（基板固定部材２５１ａ〜２５１ｆ、中央用基板固定部材２５２）は、第１爪部２５ａ及び第２爪部２５ｂと、平面部２５ｃと、を備える。
【００２７】
第１爪部２５ａ及び第２爪部２５ｂは、平面部２５ｃに形成された一対の爪部であり、支持部材２４の主面部２４ａの挿通孔を挿通し、支持部材２４の主面部２４ａの裏面側から表面側に突出する。そして、第１爪部２５ａ及び第２爪部２５ｂは、発光素子基板２２の幅方向の両側から挟み込むように発光素子基板２２の両側部を支持し、且つ発光素子基板２２の発光素子実装面上に突出する形状を有している。例えば、第１爪部２５ａ及び第２爪部２５ｂは、鉤のように、先端が直角に曲がった形状をしている。
【００２８】
図６、図７に示すように、第１爪部２５ａ及び第２爪部２５ｂの先端は、支持部材２４の長手方向における両端部分が最も平面部２５ｃから離れ、両端部分に挟まれた中央部分が最も平面部２５ｃに接近する形状（例えば弓状）である。
具体的には、第１爪部２５ａ及び第２爪部２５ｂは、平面部２５ｃから突出した部分（支持部材２４の主面部２４ａの挿通孔を挿通した部分）の長さが、第１爪部２５ａ及び第２爪部２５ｂの長手方向における中央部分より、第１爪部２５ａ及び第２爪部２５ｂの長手方向における両端部分の方が長い。
発光素子基板２２を装着した際には、上記の中央部分は、発光素子基板２２を固定する。上記の両端部分は、中央部分を挟み、且つ、中央部分よりも発光素子基板２２から離れている。上記の平面部２５ｃから突出した部分は、両端部分から中央部分に寄っていくほど発光素子基板２２に近づいていく。
【００２９】
平面部２５ｃは、支持部材２４の主面部２４ａの裏面側に配置され、支持部材２４の主面部２４ａの裏面側と対向する面に第１爪部２５ａ及び第２爪部２５ｂが設けられている。このとき、支持部材２４の主面部２４ａの裏面側にある基板固定部材２５の平面部２５ｃから、第１爪部２５ａ及び第２爪部２５ｂが支持部材２４の主面部２４ａの挿通孔を挿通することで、基板固定部材２５が仮固定される。また、支持部材２４の主面部２４ａの表面側において一対の爪部の間に発光素子基板２２が取り付けられることで、基板固定部材２５の固定が完了する。
【００３０】
なお、平面部２５ｃは、例えばネジ等の締結部材によって支持部材２４の主面部２４ａの裏面側に固定されても良い。このとき、支持部材２４の主面部２４ａの表面側において第１爪部２５ａと第２爪部２５ｂとの間の領域には発光素子基板２２が配置されるため、平面部２５ｃにおいてネジ等の締結部材及びその挿通孔は、第１爪部２５ａと第２爪部２５ｂとの間の領域以外の部分に配置される。例えば、ネジ等の締結部材及びその挿通孔は、平面部２５ｃの周縁部に設けられる。これにより、発光素子基板２２に影響を与えることなく、基板固定部材２５をネジ等の締結部材で固定することができる。
【００３１】
図７に示すように、中央用基板固定部材２５２は、上記の第１爪部２５ａ、第２爪部２５ｂ及び平面部２５ｃに加え、更に配線保護部２５ｄを備える。
配線保護部２５ｄは、平面部２５ｃと同じく支持部材２４の主面部２４ａの裏面側に配置され、支持部材２４の主面部２４ａの裏面側において電源部２３から発光素子基板２２に接続される配線２３ｄ及び貫通孔を覆って保護する。配線保護部２５ｄは、支持部材２４の主面部２４ａの裏面側に配置された配線２３ｄを収納可能な形状（例えば半筒状）である。配線保護部２５ｄは、平面部２５ｃの一部を変形させて形成しても良い。
電源部２３から導出した配線２３ｄは、配線保護部２５ｄに覆われることにより、支持部材２４の主面部２４ａの裏面側において露出することなく、貫通孔を通じて主面部２４ａの表面側の発光素子基板２２と接続することができる。このため、配線２３ｄを支持部材２４上の広い領域内で引き回す必要がなく、配線２３ｄを短くすることができ、発光ユニット２０の組み立て性が向上する。また、支持部材２４の主面部２４ａの裏面側において配線２３ｄが露出しないため、安全性が向上し、配線の二重被覆が不要となる。
【００３２】
（反射部材）
図８は、支持部材２４と、反射部材２６との実装関係を説明するための分解斜視図である。
図９は、支持部材２４における反射部材２６の実装状態を説明するための斜視図である。
図８、図９に示すように、２枚の反射部材２６（第１反射部材２６１、第２反射部材２６２）が支持部材２４に実装される。但し、実際には、反射部材２６の枚数は２枚に限定されない。例えば、１枚でも３枚以上でも良い。すなわち、反射部材２６の枚数は任意であり、通常は照明装置１の設計や寸法に応じて決定される。
反射部材２６（第１反射部材２６１、第２反射部材２６２）は、発光素子２１から照射された光の少なくとも一部を反射する機能を有し、発光素子２１から照射された光を予め設定した方向（例えば、床面に向かう方向）へ反射する。
反射部材２６（第１反射部材２６１、第２反射部材２６２）は、例えば、光の少なくとも一部を反射する機能を有するシート状の部材（反射シート）である。図３、図８、図９に示すように、反射部材２６（第１反射部材２６１、第２反射部材２６２）は、支持部材２４の表面側の幅方向を覆う。
【００３３】
反射部材２６（第１反射部材２６１、第２反射部材２６２）は、支持部材２４の主面部２４ａの表面側に突出した基板固定部材２５（基板固定部材２５１ａ〜２５１ｆ、中央用基板固定部材２５２）の第１爪部２５ａ及び第２爪部２５ｂの位置に合わせて、第１爪部２５ａ及び第２爪部２５ｂを挿通させるためのスリット状の挿通孔を有する。図８、図９に示すように、反射部材２６（第１反射部材２６１、第２反射部材２６２）を支持部材２４に取り付ける際には、このスリット状の挿通孔に第１爪部２５ａ及び第２爪部２５ｂを挿通させる。
また、図３に示すように、反射部材２６（第１反射部材２６１、第２反射部材２６２）は、支持部材２４の主面部２４ａにおける第１爪部２５ａ及び第２爪部２５ｂの位置（すなわち、スリット状の挿通孔の位置）から、支持部材２４の底面部２４ｃに向かって傾斜して配置される。
【００３４】
また、反射部材２６（第１反射部材２６１、第２反射部材２６２）は、支持部材２４の底面部２４ｃの表面側（第１側面部２４ｂ、底面部２４ｃ及び第２側面部２４ｄにより形成された凸部の頂部）の任意の個所で接着剤等（例えば、両面テープ）によって固定される。すなわち、反射部材２６（第１反射部材２６１、第２反射部材２６２）は、支持部材２４に取り付けられた際に、支持部材２４の底面部２４ｃの表面側（第１側面部２４ｂ、底面部２４ｃ及び第２側面部２４ｄにより形成された凸部の頂部）と密着する。
【００３５】
（発光素子基板）
図１０は、支持部材２４と、発光素子基板２２との実装関係を説明するための分解斜視図である。
図１１は、支持部材２４における発光素子基板２２の実装状態を説明するための斜視図である。
図１０、図１１に示すように、２枚の発光素子基板２２（第１発光素子基板２２１、第２発光素子基板２２２）が支持部材２４に実装される。発光素子基板２２の上には、発光素子２１が露出するように孔が開けられ、且つ、外形寸法が発光素子基板２２と略同一な反射板（不図示）が設けられている。但し、実際には、発光素子基板２２の枚数は２枚に限定されない。例えば、１枚でも３枚以上でも良い。すなわち、発光素子基板２２の枚数は任意であり、通常は照明装置１の設計や寸法に応じて決定される。
【００３６】
図１０、図１１に示すように、発光素子基板２２（第１発光素子基板２２１、第２発光素子基板２２２）は、一方向に長く延びた長尺形状の板状部材である。長尺形状の複数の発光素子基板２２（第１発光素子基板２２１、第２発光素子基板２２２）は、互いの短辺（長手方向の端部）同士が対向する状態で発光素子基板の長手方向に列状に並べられる。
【００３７】
図１０に示すように、発光素子基板２２（第１発光素子基板２２１、第２発光素子基板２２２）は、支持部材２４の長手方向の端部から、支持部材２４の主面部２４ａにおける基板固定部材２５（基板固定部材２５１ａ〜２５１ｆ、中央用基板固定部材２５２）の第１爪部２５ａと第２爪部２５ｂとの間に挿入する。
【００３８】
図６、図７に示すように、支持部材２４の長手方向において、第１爪部２５ａ及び第２爪部２５ｂの先端は、両端部が最も平面部２５ｃから離れ、中央部が最も平面部２５ｃに接近する形状（弓状）であるため、第１爪部２５ａと第２爪部２５ｂとの間に発光素子基板２２（第１発光素子基板２２１、第２発光素子基板２２２）を挿入しやすくなっている。
【００３９】
これにより、図１１に示すように、発光素子基板２２の幅方向の両側部が、第１爪部２５ａ及び第２爪部２５ｂにより支持される。
なお、図３においては、発光素子基板２２と、基板固定部材２５の第１爪部２５ａ及び第２爪部２５ｂとの間には隙間が空いているように見える。しかしながら、実際には、発光素子基板２２と基板固定部材２５との間で、発光素子基板２２の上には、発光素子２１が露出するように孔が開けられ、且つ、外形寸法が発光素子基板２２と略同一な反射板（不図示）が設けられている。この反射板と基板固定部材２５との間には、ほとんど隙間が空いていない。その結果、素子基板２２は、基板固定部材２５によって、素子基板取付部２４に固定されている（図１６、図１９、図２２についても同様）。
また、図３に示すように、発光素子基板２２と支持部材２４の主面部２４ａとにより、反射部材２６（第１反射部材２６１、第２反射部材２６２）の幅方向の中央部が挟持される。
【００４０】
（発光素子基板同士の連結部分）
図１２は、隣接する発光素子基板２２同士（第１発光素子基板２２１、第２発光素子基板２２２）の連結部分（つなぎ目部分）における配線について説明するための拡大図である。なお、隣接する発光素子基板２２同士（第１発光素子基板２２１、第２発光素子基板２２２）は当接していなくても良い。実際には、隣接する発光素子基板２２同士（第１発光素子基板２２１、第２発光素子基板２２２）が連続していると視覚的に認識できれば良い。すなわち、隣接する発光素子基板２２同士（第１発光素子基板２２１、第２発光素子基板２２２）の連結部分とは、隣接する発光素子基板２２同士（第１発光素子基板２２１、第２発光素子基板２２２）が最も接近する部分を意味する。
図１３は、隣接する発光素子基板２２同士（第１発光素子基板２２１と第２発光素子基板２２２の間）の連結部分における配線の被覆について説明するための拡大図である。
【００４１】
図１２、図１３に示すように、発光素子基板２２（第１発光素子基板２２１、第２発光素子基板２２２）上には、電源部２３から導出される配線２３ｄが接続される電源接続用端子群（コネクタ２２１ａ及び２２２ａ）と、隣り合う発光素子基板２２（第１発光素子基板２２１、第２発光素子基板２２２）間を接続する配線２２ｃが接続される基板接続用端子群（コネクタ２２１ｂ及び２２２ｂ）とが設けられる。電源接続用端子群及び基板接続用端子群は、発光素子基板２２（第１発光素子基板２２１、第２発光素子基板２２２）の対向する短辺近傍にそれぞれ配置される。
【００４２】
すなわち、第１発光素子基板２２１の一方の短辺近傍には、第１電源接続用端子であるコネクタ２２１ａと、第１基板接続用端子であるコネクタ２２１ｂとが設けられている。また、第２発光素子基板２２２の一方の短辺近傍には、第２電源接続用端子であるコネクタ２２２ａと、第２基板接続用端子であるコネクタ２２２ｂとが設けられている。そして、第１発光素子基板２２１のコネクタ２２１ａ及びコネクタ２２１ｂが設けられた側の短辺と、第２発光素子基板２２２のコネクタ２２２ａ及びコネクタ２２２ｂが設けられた側の短辺とが対向配置される。なお、発光素子基板２２（第１発光素子基板２２１、第２発光素子基板２２２）は、互いに同一の構成を有していても良い。
【００４３】
図１２、図１３に示すように、発光素子基板２２（第１発光素子基板２２１、第２発光素子基板２２２）の電源接続用端子群（コネクタ２２１ａ及び２２２ａ）には、支持部材２４の主面部２４ａに設けられた貫通孔を通る配線２３ｄがそれぞれ接続される。これにより、電源部２３の電源回路から供給された電力は、配線２３ｄを介して発光素子基板２２（第１発光素子基板２２１、第２発光素子基板２２２）に実装された発光素子２１に供給される。
【００４４】
図１２、図１３に示すように、発光素子基板２２（第１発光素子基板２２１、第２発光素子基板２２２）の基板接続用端子群（コネクタ２２１ｂ及び２２２ｂ）には、発光素子基板２２（第１発光素子基板２２１、第２発光素子基板２２２）を電気的に接続するための配線２２ｃがそれぞれ接続される。
【００４５】
ここで、コネクタ２２１ａ及びコネクタ２２２ａの一方はプラス側端子であり、他方はマイナス側端子である。コネクタ２２１ａ及びコネクタ２２２ａの電極は、接続される配線２３ｄ及び電源部２３の電極に対応する。
【００４６】
また、コネクタ２２１ｂ及びコネクタ２２２ｂは、配線２２ｃによって導通している。このため、第１発光素子基板２２１上に設けられた複数の発光素子２１と、第２発光素子基板２２２上に設けられた複数の発光素子２１とが、コネクタ２２１ｂとコネクタ２２２ｂとの間で直列に接続される。
【００４７】
このような構成とすることにより、発光素子基板２２（第１発光素子基板２２１、第２発光素子基板２２２）の組み立て工程が容易になる。また、このような構成とすることにより、発光素子基板２２（第１発光素子基板２２１、第２発光素子基板２２２）同士を接続する配線２２ｃ及び電源部２３からの配線２３ｄの引きまわし距離を短くすることができる。このため、ノイズの発生を抑制することができる。
【００４８】
また、電源接続用端子群（コネクタ２２１ａ及び２２２ａ）は、発光素子基板２２（発光素子基板２２（第１発光素子基板２２１、第２発光素子基板２２２））の一方の長辺に沿って配置され、基板接続用端子群（コネクタ２２１ｂ及び２２２ｂ）は、発光素子基板２２（発光素子基板２２（第１発光素子基板２２１、第２発光素子基板２２２））の他方の長辺に沿って配置される。
【００４９】
このとき、コネクタ２２１ａ及び２２２ａは、発光素子基板２２上において少なくとも１個の発光素子２１を介して配置されることが好ましい。また、コネクタ２２１ｂ及び２２２ｂは、少なくとも１個の発光素子２１を介して配置されることが好ましい。これは、コネクタ２２１ａ及び２２２ａ、並びにコネクタ２２１ｂ及び２２２ｂのそれぞれの間の沿面距離を確保するためである。
【００５０】
なお、図１２、図１３に示すように、コネクタ２２１ａ及び２２１ｂは、第１発光素子基板２２１の短辺に最も近い位置に設けられた発光素子２１と、短辺に２番目に近い位置に設けられた発光素子２１との間の領域に設けられることが好ましい。また、コネクタ２２１ａ及び２２１ｂは、上述した領域のうち、短辺に２番目に近い位置に設けられた発光素子２１よりも、短辺に最も近い位置に設けられた発光素子２１に近い位置に設けられることが好ましい。
【００５１】
同様に、コネクタ２２２ａ及び２２２ｂは、第２発光素子基板２２２の短辺に最も近い位置に設けられた発光素子２１と短辺に２番目に近い位置に設けられた発光素子２１との間の領域に設けられることが好ましい。また、コネクタ２２２ａ及び２２２ｂは、上述した領域のうち、短辺に２番目に近い位置に設けられた発光素子２１よりも、短辺に最も近い位置に設けられた発光素子２１に近い位置に設けられることが好ましい。
【００５２】
これにより、発光素子基板２２の同一の長辺上に沿って配置されるコネクタ２２１ａ及び２２２ａ間、並びにコネクタ２２１ｂ及び２２２ｂ間のそれぞれの沿面距離を確保しつつ、発光素子基板２２（第１発光素子基板２２１、第２発光素子基板２２２）の連結部分においても発光素子２１の配列の連続性を確保することができるため、発光ユニット２０の発光素子基板２２（第１発光素子基板２２１、第２発光素子基板２２２）の全面において明るさを均一にすることができる。
【００５３】
図１３に示すように、配線２２ｃ及び配線２３ｄは、隣接する発光素子基板２２同士（第１発光素子基板２２１、第２発光素子基板２２２）の連結部分の幅方向の外側に配置され、配線抑止部２８（電源接続用配線抑止部２８ａ、基板接続用配線抑止部２８ｂ）により覆われて保護される。
これにより、配線抑止部２８（電源接続用配線抑止部２８ａ、基板接続用配線抑止部２８ｂ）は、配線２２ｃ及び配線２３ｄが隣接する発光素子基板２２同士（第１発光素子基板２２１、第２発光素子基板２２２）の連結部分の上に浮き上がらないようにすることができる。したがって、配線が連結部分上に浮き上がって、連結部分における光学特性が他の部分と相違してしまうのを防止することができる。
【００５４】
電源接続用配線抑止部２８ａは、発光素子基板２２（第１発光素子基板２２１、第２発光素子基板２２２）の電源接続用端子群（コネクタ２２１ａ及び２２２ａ）に接続される配線２３ｄを覆う位置に配置される。
同様に、基板接続用配線抑止部２８ｂは、発光素子基板２２（第１発光素子基板２２１、第２発光素子基板２２２）の基板接続用端子群（コネクタ２２１ｂ及び２２２ｂ）に接続される配線２２ｃを覆う位置に配置される。
【００５５】
このような配線抑止部２８（電源接続用配線抑止部２８ａ、基板接続用配線抑止部２８ｂ）は、例えば樹脂材料を射出成型することにより形成される。
なお、配線抑止部２８（電源接続用配線抑止部２８ａ、基板接続用配線抑止部２８ｂ）は、例えば高反射性材料で形成しても良い。高反射性材料で形成することにより、配線抑止部２８（電源接続用配線抑止部２８ａ、基板接続用配線抑止部２８ｂ）は、反射部材２６（第１反射部材２６１、第２反射部材２６２）と同様に、発光素子２１の光を効率良く反射することができる。
若しくは、配線抑止部２８（電源接続用配線抑止部２８ａ、基板接続用配線抑止部２８ｂ）は、例えば透明材料で形成しても良い。透明材料で形成することにより、配線抑止部２８（電源接続用配線抑止部２８ａ、基板接続用配線抑止部２８ｂ）を通して配線２２ｃ及び配線２３ｄの配線状態を確認することができる。
【００５６】
（透光性カバー）
透光性カバー２７は、支持部材２４の主面部２４ａの表面側（発光素子基板２２及び反射部材２６が実装された面側）を覆い、発光ユニット２０を器具本体１０に取り付けた際に、器具本体１０の凹部の内側に一部が入り込む形状を有している。このとき、透光性カバー２７の幅方向の両端の外壁面の少なくとも一部は、器具本体１０の第１側縁部１１１ｂ及び第２側縁部１１１ｃの内壁面の少なくとも一部と当接する。透光性カバー２７は、例えば白色であり、発光素子２１から照射された光を拡散する機能（光拡散性）を有している。
【００５７】
図２に示すように、透光性カバー２７は、主カバー２７１と、第１エンドカバー２７２ａ及び第２エンドカバー２７２ｂと、を備える。主カバー２７１は、発光素子２１が実装された発光素子基板２２を覆う。第１エンドカバー２７２ａは、主カバー２７１の一端を覆うように取り付けられる。第２エンドカバー２７２ｂも同様に、主カバー２７１の他端を覆うように取り付けられる。
【００５８】
また、図３に示すように、主カバー２７１の幅方向の両側のそれぞれの内壁面には、第１突出部２７１ａ及び第２突出部２７１ｂが形成されている。第１突出部２７１ａ及び第２突出部２７１ｂは、上下方向（すなわち図３中の±Ｚ方向）に離れ、互いに平行に主カバー２７１の長手方向に延伸している。なお、第１突出部２７１ａと第２突出部２７１ｂの形状は同一でなくても良い。
【００５９】
第１突出部２７１ａ及び第２突出部２７１ｂは、支持部材２４の第２側面部２４ｄを固定する。このとき、主カバー２７１の幅方向の両側において、第１突出部２７１ａ及び第２突出部２７１ｂは、支持部材２４の第２側面部２４ｄと当接する。例えば、第１突出部２７１ａと第２突出部２７１ｂとの間に、支持部材２４の第２側面部２４ｄを嵌合させる。若しくは、第１突出部２７１ａと第２突出部２７１ｂとが、支持部材２４の第２側面部２４ｄを挟持しても良い。このように構成することで、第１突出部２７１ａ及び第２突出部２７１ｂにより、透光性カバー２７に支持部材２４を固定することができ、透光性カバー２７から支持部材２４が脱落するのを、より確実に防止することができる。
【００６０】
更に、第２突出部２７１ｂと支持部材２４の底面部２４ｃとが、反射部材２６の幅方向の周縁部を挟持しても良い。このように構成することで、第２突出部２７１ｂと支持部材２４の底面部２４ｃにより、反射部材２６の幅方向の周縁部を支持部材２４の底面部２４ｃに固定することができ、支持部材２４の底面部２４ｃから反射部材２６が脱落するのを防止することができる。なお、接着剤等（例えば、両面テープ）により、別途、支持部材２４の底面部２４ｃに反射部材２６の幅方向の周縁部が固定されている場合、第２突出部２７１ｂと支持部材２４の底面部２４ｃとが、反射部材２６の幅方向の周縁部を挟持していなくても良い。
【００６１】
発光ユニット２０は、透光性カバー２７の両側面の一部が器具本体１０の開口に入り込むようにして取り付けられる。このとき、発光ユニット２０は、透光性カバー２７の両側面の一部が器具本体１０の凹部の内壁面（第１側縁部１１１ｂ及び第２側縁部１１１ｃ）に当接した状態で器具本体１０に取り付けられる。
これにより、発光ユニット２０がたわんだ場合であっても照明装置の外観不良が生じにくくなる。これは、発光ユニット２０がたわんだ場合に凹部に入り込んでいた透光性カバー２７の一部が露出するのみであり、器具本体１０と発光ユニット２０との間に隙間が生じなくなるためである。
【００６２】
（第１実施形態の効果）
以上説明した第１実施形態に係る照明装置によれば、以下の効果を得ることができる。
（１）本発明の第１実施形態に係る照明装置は、発光素子が実装された発光素子基板と、発光素子が発する光の少なくとも一部を反射する反射部材と、反射部材の少なくとも一部及び発光素子基板が表面側に取り付けられる支持部材と、発光素子基板を支持部材の表面側に固定する基板固定部材と、支持部材の表面側を覆うように取り付けられる透光性カバーと、支持部材の表面側を覆った状態の透光性カバーが装着される器具本体と、を備える。発光素子基板、反射部材、支持部材、透光性カバー及び器具本体は、いずれも長手方向を揃えた長尺状である。基板固定部材は、発光素子基板の短手方向の外側から発光素子基板の短手方向の端部に引っ掛かる一対の爪部を有し、且つ、発光素子基板の長手方向に沿って複数設けられている。
その結果、発光素子基板が取り付けられた支持部材の表面側において、一対の爪部により発光素子基板を固定するため配光特性や視認性への影響を最小限に抑えることが可能となり、発光素子基板が支持部材から浮いてしまうことを防止することが可能となる。
【００６３】
（２）一対の爪部は、発光素子基板の短手方向の両側に配置され、互いに対向し、発光素子が発する光の主出射方向に沿って延伸し、且つ、延伸した部分が、発光素子基板の短手方向の内側に向かって屈曲している。
その結果、発光素子基板を固定する一対の爪部の形状を、最適な形状にすることが可能となる。
【００６４】
（３）基板固定部材の平面部は、支持部材の表面側と反対側の裏面側に配置され、且つ、一対の爪部が設けられている。支持部材、及び、反射部材は、一対の爪部が挿通する挿通孔をそれぞれ有する。一対の爪部は、平面部から、それぞれの挿通孔を挿通して、支持部材の表面側に突出する。そして、一対の爪部の少なくとも一部が、発光素子基板に当接して固定する。
その結果、ネジ等の締結部材を使用せずとも、基板固定部材を支持部材に固定することが可能となる。
【００６５】
（４）一対の爪部は、平面部から突出した部分の長さが、一対の爪部の長手方向における中央部分より、一対の爪部の長手方向における両端部分の方が長い。
その結果、平面部から突出した部分（支持部材の挿通孔を挿通する部分）の高さについて、中央部分よりも両端部分の方が高く、両端部分から一対の爪部の間に発光素子基板をスライドして入れる際に、両端部分から発光素子基板を挿入しやすい構造を実現することが可能となる。
【００６６】
（５）上記の中央部分は、発光素子基板を固定する。上記の両端部分は、中央部分を挟み、且つ、中央部分よりも発光素子基板から離れている。上記の平面部から突出した部分は、両端部分から中央部分に寄っていくほど発光素子基板に近づいていく。
その結果、両端部分が大きく開口し、且つ、両端部分から中央部分に発光素子基板を押し込む際のガイド面を形成し、両端部分から一対の爪部の間に発光素子基板をスライドして入れやすい構造を実現することが可能となる。
【００６７】
（６）発光素子に電力を供給する電源部から電源配線が引き出されて発光素子基板に接続される。この電源配線に隣接する基板固定部材は、平面部と、一対の爪部の他に、電源配線を覆う配線保護部を有する。
その結果、基板固定部材の一部を用いて電源配線を保護し、電源配線の露出を防止することが可能となる。
【００６８】
＜第２実施形態＞
以下、本発明の第２実施形態に係る照明装置について説明する。
（照明装置の全体構成）
図１４は、本発明の第２実施形態に係る照明装置１の外観を説明するための斜視図である。
図１５は、本発明の第２実施形態に係る照明装置１の構成を説明するための分解斜視図である。
図１６は、本発明の第２実施形態に係る照明装置１の構成を説明するための横断面図である。
図１４、図１５及び図１６に示すように、本発明の第２実施形態に係る照明装置は、第１実施形態に係る照明装置と器具本体１０の形状が異なる。その他の構造及び装置については、基本的に第１実施形態に係る照明装置と同様である。なお、第２実施形態に係る照明装置１は、更に補強板３０を備える。但し、第２実施形態において、この補強板３０は必須ではない。
【００６９】
第２実施形態では、照明装置１として、器具本体１０が造営材Ｂの被取付面に埋め込まれ、発光ユニット２０が造営材Ｂの被取付面の外側に露出している照明装置について説明する。ここでは、このような照明装置の形状を便宜上、「半埋込型」と称する。
【００７０】
（器具本体）
以下、器具本体１０の構成例について説明する。
第２実施形態では、器具本体１０は、取付部材１１２と、第１側板１２２ａ及び第２側板１２２ｂと、を備える。
取付部材１１２は、半埋込型の照明装置１におけるシャーシであり、合板等の材料を曲げ加工することにより、発光ユニット２０の透光性カバー２７が入り込むように開口が設けられて形成される。取付部材１１２は、この開口端縁に向かって広がっている。
【００７１】
取付部材１１２は、長尺状に形成された底板部１１２ａと、底板部１１２ａの長辺に沿って設けられた第１側縁部１１２ｂ、第２側縁部１１２ｃ、第１側縁突出部１１２ｄ及び第２側縁突出部１１２ｅを含む。
底板部１１２ａ、第１側縁部１１２ｂ及び第２側縁部１１２ｃについては、基本的に第１実施形態における底板部１１２ａ、第１側縁部１１２ｂ及び第２側縁部１１２ｃと同様である。
【００７２】
第１側縁突出部１１２ｄ及び第２側縁突出部１１２ｅは、照明装置１を造営材Ｂの被取付面に取り付けた際に造営材Ｂの被取付面に当接する部位であり、発光ユニット２０の光照射方向と交差する方向（すなわち図１６中のＹ方向又は−Ｙ方向）に折り曲げられ、底板部１１２ａの幅方向の外側に延伸する。第１側縁突出部１１２ｄ及び第２側縁突出部１１２ｅは、照明装置１を造営材Ｂの被取付面に取り付けた際に、造営材Ｂの被取付面と平行となる。ここでは、第１側縁突出部１１２ｄは、第１側縁部１１２ｂの一部を図１６中のＹ方向に折り曲げ、第２側縁突出部１１２ｅは、第２側縁部１１２ｃの一部を図１６中の−Ｙ方向に折り曲げている。
【００７３】
第１側板１２２ａ及び第２側板１２２ｂは、半埋込型の照明装置において取付部材１１２の長手方向の両端の開口部分に取り付けられる閉塞部材であり、例えば樹脂材料で形成される。第１実施形態では、第１側板１２２ａは、取付部材１１２の長手方向の一端を覆うように取り付けられる。第２側板１２２ｂは、取付部材１１２の長手方向の他端を覆うように取り付けられる。
【００７４】
（発光ユニット）
発光ユニット２０の構成については、基本的に第１実施形態と同様である。すなわち、第１実施形態に係る照明装置１と第２実施形態に係る照明装置１とにおいて、発光ユニット２０を共通化することができる。
【００７５】
（補強板）
補強板３０は、吊りボルトＨＢに固定されているとともに、器具本体１０を支持し補強する板状の部材である。補強板３０は、器具本体１０の外側に取り付けられる。補強板３０は、例えば、亜鉛メッキ鋼板等の鋼板を用いて形成されている。
【００７６】
補強板３０は、平板部材３１と、補強側板３２（第１補強側板３２ａ、第２補強側板３２ｂ）と、を備える。
平板部材３１は、長尺状の板であり、取付部材１１２の底板部１１２ａの上から取り付けられる。
第１補強側板３２ａは、取付部材１１２の第１側板１２１ａの上から、平板部材３１の長手方向の一端に取り付けられる。
第２補強側板３２ｂは、取付部材１１２の第２側板１２１ｂの上から、平板部材３１の長手方向の他端に取り付けられる。
なお、補強板３０は、第２実施形態に係る照明装置１に限らず、第１実施形態に係る照明装置１に取り付けることも可能である。
【００７７】
（第２実施形態の効果）
以上説明した第２実施形態に係る照明装置によれば、以下の効果を得ることができる。
本発明の第２実施形態に係る照明装置は、器具本体が造営材の被取付面に埋め込まれ、発光ユニットが造営材の被取付面の外側に露出する。
その結果、第１実施形態と同様の発光ユニットを備えた半埋込型の照明装置を提供することができる。
【００７８】
＜第３実施形態＞
以下、本発明の第３実施形態に係る照明装置について説明する。
（照明装置の全体構成）
図１７は、本発明の第３実施形態に係る照明装置１の外観を説明するための斜視図である。
図１８は、本発明の第３実施形態に係る照明装置１の構成を説明するための分解斜視図である。
図１９は、本発明の第３実施形態に係る照明装置１の構成を説明するための横断面図である。
図１７、図１８及び図１９に示すように、本発明の第３実施形態に係る照明装置は、第１実施形態に係る照明装置と器具本体１０の形状が異なる。その他の構造及び装置については、基本的に第１実施形態に係る照明装置と同様である。
【００７９】
第３実施形態では、照明装置１として、発光ユニット２０が器具本体１０の内側に埋没し、器具本体１０が造営材Ｂの被取付面に埋め込まれ、器具本体１０の開口部のみが露出している照明装置について説明する。ここでは、このような照明装置の形状を便宜上、「埋込型」と称する。
【００８０】
（器具本体）
以下、器具本体１０の構成例について説明する。
第２実施形態では、器具本体１０は、取付部材１１３と、第１側板１２３ａ及び第２側板１２３ｂと、を備える。
取付部材１１３は、埋込型の照明装置１におけるシャーシであり、合板等の材料を曲げ加工することにより、発光ユニット２０の透光性カバー２７が入り込むように開口が設けられて形成される。取付部材１１３は、この開口端縁に向かって広がっている。
【００８１】
取付部材１１３は、長尺状に形成された底板部１１３ａと、底板部１１３ａの長辺に沿って設けられた第１側縁部１１３ｂ、第２側縁部１１３ｃ、第１側縁屈折部１１３ｄ、第２側縁屈折部１１３ｅ、第１側縁拡張部１１３ｆ、第２側縁拡張部１１３ｇ、第１側縁突出部１１３ｈ及び第２側縁突出部１１３ｉを含む。
底板部１１３ａ、第１側縁部１１３ｂ及び第２側縁部１１３ｃについては、基本的に第１実施形態における底板部１１１ａ、第１側縁部１１１ｂ及び第２側縁部１１１ｃと同様である。
【００８２】
第１側縁屈折部１１３ｄ及び第２側縁屈折部１１３ｅは、発光ユニット２０の光照射方向と交差する方向（すなわち図１６中のＹ方向又は−Ｙ方向）に折り曲げられ、底板部１１３ａの幅方向の外側に延伸する。第１側縁屈折部１１３ｄ及び第２側縁屈折部１１３ｅは、照明装置１を造営材Ｂの被取付面に取り付けた際に、造営材Ｂの被取付面と平行となる。ここでは、第１側縁屈折部１１３ｄは、第１側縁部１１３ｂの一部を図１６中のＹ方向に折り曲げ、第２側縁屈折部１１３ｅは、第２側縁部１１３ｃの一部を図１６中の−Ｙ方向に折り曲げている。
【００８３】
第１側縁拡張部１１３ｆ及び第２側縁拡張部１１３ｇは、第１側縁屈折部１１３ｄ及び第２側縁屈折部１１３ｅに対し、発光ユニット２０の光照射方向に向かって折り曲げられ、下方向に傾斜して広がる形状を有している。なお、第１側縁拡張部１１３ｆ及び第２側縁拡張部１１３ｇの少なくとも一方が発光ユニット２０の光照射方向に向かって（すなわち図１９中の−Ｚ方向に向かって）広がる形状を有していれば良い。
ここでは、第１側縁拡張部１１３ｆは、第１側縁屈折部１１３ｄの一部を図１９中の−Ｚ方向に折り曲げ、第２側縁拡張部１１３ｇは、第２側縁屈折部１１３ｅの一部を図１９中の−Ｚ方向に折り曲げている。
【００８４】
これにより、底板部１１３ａ、第１側縁部１１３ｂ、第２側縁部１１３ｃ、第１側縁屈折部１１３ｄ、第２側縁屈折部１１３ｅ、第１側縁拡張部１１３ｆ及び第２側縁拡張部１１３ｇは、発光ユニット２０の光照射方向に向かって開口している凹部を形成する。ここで、第１側縁屈折部１１３ｄ及び第２側縁屈折部１１３ｅは、凹部の壁面部に階段状の段差を形成する。
【００８５】
第１側縁突出部１１３ｈ及び第２側縁突出部１１３ｉは、照明装置１を造営材Ｂの被取付面に取り付けた際に造営材Ｂの被取付面に当接する部位であり、発光ユニット２０の光照射方向と交差する方向（すなわち図１９中のＹ方向又は−Ｙ方向）に折り曲げられ、底板部１１３ａの幅方向の外側に延伸する。第１側縁突出部１１３ｈ及び第２側縁突出部１１３ｉは、照明装置１を造営材Ｂの被取付面に取り付けた際に、造営材Ｂの被取付面と平行となる。
ここでは、第１側縁突出部１１３ｈは、第１側縁拡張部１１３ｆの一部を図１６中のＹ方向に折り曲げ、第２側縁突出部１１３ｉは、第２側縁拡張部１１３ｇの一部を図１６中の−Ｙ方向に折り曲げている。
【００８６】
第１側板１２３ａ及び第２側板１２３ｂは、埋込型の照明装置において取付部材１１３の長手方向の両端の開口部分に取り付けられる閉塞部材であり、例えば樹脂材料で形成される。第１実施形態では、第１側板１２３ａは、取付部材１１３の長手方向の一端を覆うように取り付けられる。第２側板１２３ｂは、取付部材１１３の長手方向の他端を覆うように取り付けられる。
【００８７】
（発光ユニット）
発光ユニット２０の構成については、基本的に第１実施形態と同様である。すなわち、第１実施形態に係る照明装置１と第３実施形態に係る照明装置１とにおいて、発光ユニット２０を共通化することができる。
【００８８】
（第３実施形態の効果）
以上説明した第３実施形態に係る照明装置によれば、以下の効果を得ることができる。
本発明の第３実施形態に係る照明装置は、発光ユニットが器具本体の内側に埋没し、器具本体が造営材の被取付面に埋め込まれ、器具本体の開口部のみが露出する。
その結果、第１実施形態と同様の発光ユニットを備えた埋込型の照明装置を提供することができる。
【００８９】
＜第４実施形態＞
以下、本発明の第４実施形態に係る照明装置について説明する。
（照明装置の全体構成）
図２０は、本発明の第４実施形態に係る照明装置１の外観を説明するための斜視図である。
図２１は、本発明の第４実施形態に係る照明装置１の構成を説明するための分解斜視図である。
図２２は、本発明の第４実施形態に係る照明装置１の構成を説明するための横断面図である。
図２０、図２１及び図２２に示すように、本発明の第４実施形態に係る照明装置は、第１実施形態に係る照明装置と器具本体１０の形状が異なる。その他の構造及び装置については、基本的に第１実施形態に係る照明装置と同様であるものとする。
【００９０】
第４実施形態では、照明装置１として、器具本体１０が吊りボルトＨＢにより造営材Ｂの被取付面に直接取り付けられたＷ字型（具体的には「Ｖ￣Ｖ」が連続した形状）の照明装置について説明する。ここでは、このような照明装置の形状を便宜上、「直付逆富士型」と称する。
【００９１】
（器具本体）
以下、器具本体１０の構成例について説明する。
第２実施形態では、器具本体１０は、取付部材１１４と、第１側板１２４ａ及び第２側板１２４ｂと、を備える。
取付部材１１４は、直付逆富士型の照明装置１におけるシャーシであり、合板等の材料を曲げ加工することにより、発光ユニット２０の透光性カバー２７が入り込むように開口が設けられて形成される。取付部材１１４は、この開口端縁に向かって広がっている。
【００９２】
（取付部材）
取付部材１１４は、長尺状に形成された底板部１１４ａと、底板部１１４ａの長辺に沿って設けられた第１側縁部１１４ｂ、第２側縁部１１４ｃ、第１折返し側縁部１１４ｄ及び第２折返し側縁部１１４ｅを含む。
底板部１１４ａ、第１側縁部１１４ｂ及び第２側縁部１１４ｃについては、基本的に第１実施形態における底板部１１１ａ、第１側縁部１１１ｂ及び第２側縁部１１１ｃと同様である。
【００９３】
第１折返し側縁部１１４ｄ及び第２折返し側縁部１１４ｅは、照明装置１を造営材Ｂの被取付面に取り付けた際に先端部が造営材Ｂの被取付面に当接する部位であり、発光ユニット２０の光照射方向の反対方向に向かって折り曲げられ、上方向に傾斜して広がる形状を有している。なお、第１折返し側縁部１１４ｄ及び第２折返し側縁部１１４ｅの少なくとも一方が発光ユニット２０の光照射方向の反対方向に向かって（すなわち図２２中のＺ方向に向かって）広がる形状を有していれば良い。
ここでは、第１折返し側縁部１１４ｄは、第１側縁部１１４ｂの一部を図２２中のＺ方向に折り曲げ、第２折返し側縁部１１４ｅは、第２側縁部１１４ｃの一部を図２２中のＺ方向に折り曲げている。
【００９４】
これにより、底板部１１４ａ、第１側縁部１１４ｂ、第２側縁部１１４ｃ、第１折返し側縁部１１４ｄ及び第２折返し側縁部１１４ｅは、Ｗ字型（具体的には「Ｖ￣Ｖ」が連続した形状）の部材を形成する。
【００９５】
第１側板１２４ａ及び第２側板１２４ｂは、直付逆富士型の照明装置において取付部材１１４の長手方向の両端の開口部分に取り付けられる閉塞部材であり、例えば樹脂材料で形成される。第１実施形態では、第１側板１２４ａは、取付部材１１４の長手方向の一端を覆うように取り付けられる。第２側板１２４ｂは、取付部材１１４の長手方向の他端を覆うように取り付けられる。
【００９６】
（発光ユニット）
発光ユニット２０の構成については、基本的に第１実施形態と同様である。すなわち、第１実施形態に係る照明装置１と第４実施形態に係る照明装置１とにおいて、発光ユニット２０を共通化することができる。
【００９７】
（第４実施形態の効果）
以上説明した第４実施形態に係る照明装置によれば、以下の効果を得ることができる。
本発明の第４実施形態に係る照明装置は、器具本体が吊りボルトにより造営材の被取付面に直接取り付けられ、器具本体の形状がＷ字型である。
その結果、第１実施形態と同様の発光ユニットを備えた直付逆富士型の照明装置を提供することができる。
【００９８】
（その他）
本発明の範囲は、図示され記載された例示的な実施形態に限定されるものではなく、本発明が目的とするものと均等な効果をもたらす全ての実施形態をも含む。更に、本発明の範囲は、請求項により画される発明の特徴の組み合わせに限定されるものではなく、全ての開示されたそれぞれの特徴のうち特定の特徴のあらゆる所望する組み合わせによって画され得る。
【符号の説明】
【００９９】
１  照明装置
１０  器具本体
１１１、１１２、１１３、１１４  取付部材
１２１ａ、１２２ａ、１２３ａ、１２４ａ  第１側板
１２１ｂ、１２２ｂ、１２３ｂ、１２４ｂ  第２側板
２０  発光ユニット
２１  発光素子
２２  発光素子基板
２２１  第１発光素子基板
２２１ａ、２２１ｂ  コネクタ
２２２  第２発光素子基板
２２２ａ、２２２ｂ  コネクタ
２３  電源部
２４  支持部材
２５  基板固定部材
２５１ａ〜２５１ｆ  基板固定部材
２５２  中央用基板固定部材
２５ａ  第１爪部
２５ｂ  第２爪部
２５ｃ  平面部
２５ｄ電源接続用配線保護部
２６  反射部材
２６１  第１反射部材
２６２  第２反射部材
２７  透光性カバー
２７１  主カバー
２７１ａ  第１突出部
２７１ｂ  第２突出部
２７２ａ  第１エンドカバー
２７２ｂ  第２エンドカバー
２８  配線抑止部
２８ａ  電源接続用配線抑止部
２８ｂ  基板接続用配線抑止部
Ｂ  造営材（天井又は壁等）
ＨＢ  吊りボルト
【図１】
0006535484.tif 000002
【図２】
0006535484.tif 000003
【図３】
0006535484.tif 000004
【図４】
0006535484.tif 000005
【図５】
0006535484.tif 000006
【図６】
0006535484.tif 000007
【図７】
0006535484.tif 000008
【図８】
0006535484.tif 000009
【図９】
0006535484.tif 000010
【図１０】
0006535484.tif 000011
【図１１】
0006535484.tif 000012
【図１２】
0006535484.tif 000013
【図１３】
0006535484.tif 000014
【図１４】
0006535484.tif 000015
【図１５】
0006535484.tif 000016
【図１６】
0006535484.tif 000017
【図１７】
0006535484.tif 000018
【図１８】
0006535484.tif 000019
【図１９】
0006535484.tif 000020
【図２０】
0006535484.tif 000021
【図２１】
0006535484.tif 000022
【図２２】
0006535484.tif 000023